(57)【要約】  【課題】  大きな開口部を有し収納物を容易に取り出し可能とすると共に、前記開口部を容易に形成可能とし、開閉自在な蓋を設け、前記蓋を確実に閉止可能な包装用容器を提供することである。【解決手段】  開閉自在な蓋ＨＣを備える包装用容器Ｈであって、前記蓋が前面パネル１と内面パネル４とを有する二重パネル部に設けられており、前記内面パネルの一部に形成されるミシン目１７で囲まれた天板部４Ａと前記前面パネル１とを接着した後で、前記天板部４Ａを前記内面パネル４から切断して剥ぎ取り、前面パネル１に天板部４Ａが貼付した蓋ＨＣと、前記内面パネル４から前記天板部４Ａが剥ぎ取られて形成される開口部２０とを備える共に、前記前面パネル１の両側端縁部の根元部に、蓋を開く際にガイドとなる開閉折込ガイド５を設け、前端縁には、蓋を閉める際に係止片となる差込片１１を設ける構成とした。【選択図】    図１
2007039124.tif 000002
【特許請求の範囲】
【請求項１】
一枚の紙材から組み立てられると共に開閉自在な蓋を備える六面パネル体の包装用容器であって、
前記六面パネル体の一面を、前面パネルと内面パネルとを有する二重パネルとし、該二重パネル部に、前記内面パネルの一部に形成されるミシン目で囲まれた天板部と前記前面パネルとを接着した後で、前記天板部を前記内面パネルから切断して剥ぎ取り、前面パネルと天板部とが貼付した構成の蓋と、前記内面パネルから前記天板部が剥ぎ取られて形成される開口部とを設け、
前記前面パネルの両側端縁部の根元部に、蓋を開く際にガイドとなる開閉折込ガイドを設けると共に、前端縁には、蓋を閉める際に係止片となる差込片を設けたことを特徴とする包装用容器。
【請求項２】
前記開閉折込ガイドが、円弧状周縁部と該円弧状周縁部から突出した開口規制部とを備えており、前記内面パネルに、前記円弧状周縁部が挿通自在な溝部となる開閉切り込み部を設けて、前記円弧状周縁部が、前記開閉切り込み部に沿って摺動するように出入りする構成としたことを特徴とする請求項１に記載の包装用容器。
【請求項３】
前記開閉切り込み部の長さを、前記開閉折込ガイドの円弧状周縁部の半径よりもわずかに長い長さとしていることを特徴とする請求項２に記載の包装用容器。
【請求項４】
前記内面パネルに予め所定大きさの開口窓部を設けておき、該開口窓部に前記天板部を連接して設けたことを特徴とする請求項１から３のいずれかに記載の包装用容器。
【請求項５】
前記六面パネル体からなる箱体が、上面となる蓋を備える前記前面パネルと、側面を構成する一対の側面パネルと前後一対の背面パネルと、下面となる底面パネルを備えており、前記側面パネルもしくは前記背面パネルの少なくとも一方に、前記箱体に収納される物品を確認する透視窓を設けたことを特徴とする請求項１から４のいずれかに記載の包装用容器。
【請求項６】
前記背面パネルの両側にそれぞれサイドフラップを設け、折り畳んだサイドフラップの上に前記側面パネルを被せると共に、前記側面パネルの先端側に設ける差込フラップを、前記底面パネルの外側に貼付して箱本体を構成することを特徴とする請求項５に記載の包装用容器。
【請求項７】
前記サイドフラップの長さを相対向するサイドフラップ同士が重なり合う程度以上の長さとして、前記サイドフラップと前記側面パネルとの間に前記開閉折込ガイドを挿入しサンドイッチ状に挟み込む構成として、前記開閉折込ガイドがその両側をガイドされた状態で摺動する構成としたことを特徴とする請求項５または６に記載の包装用容器。
【請求項８】
前記内面パネルの両側に側面パネルを設けると共に、前記六面パネル体を構成する底面パネルの両側にも、それぞれ第二側面パネルを設けたことを特徴とする請求項１から７のいずれかに記載の包装用容器。
【請求項９】
前記内面パネルの両側に設ける側面パネルの一部を切除して、前記開閉折込ガイドと係合しない長さとしたことを特徴とする請求項８に記載の包装用容器。
【発明の詳細な説明】
【技術分野】
【０００１】
本発明は、包装用容器に関し、特に小物や日用品を収納すると共に取り出し容易となる開閉蓋を有する包装用容器に関するものである。
【背景技術】
【０００２】
従来、小物や日用品の包装用容器としては、一枚の紙材から形成される六面体の箱本体に、丸や長方形の開口部を設けた容器が一般に知られている。
【０００３】
上記開口部は一般に、収納されている物品がこぼれ落ちないため、また前記物品を摘み上げるために、少なくとも二本の指が入る程度の大きさであって、複数の物品を一緒に取り出す際には十分な大きさではない。また、前記開口部は常時開口されているので、開口部付近の物品が常に外気に接しており、物品が輪ゴム等の場合には劣化という問題が生じる。
【０００４】
また、常時開口されている開口部から水が浸入したり、ほこりや異物等が入り込むという問題も生じる。
【０００５】
そのために、開閉自在な蓋を有すると共に、大きな開口部を形成するとした輪ゴム等の包装用容器が既に出願されている。（例えば、特許文献１参照）
さらには、ワンタッチでカートンの開閉が繰り返し容易に行うことができるとする平面状再封蓋も既に出願されている。（例えば、特許文献２参照）
【特許文献１】登録実用第３０２７８０１号公報（第１−８頁、第１図）
【特許文献２】特開平８−１９２８３６号公報（第１−４頁、第１図）
【発明の開示】
【発明が解決しようとする課題】
【０００６】
六面体の箱本体に収納した物品等を取り出すには、その開口部は大きいほうが好ましい。また、蓋部は容易に開くことができ、且つ、閉めた際にはきっちりと閉止することが好ましい。
【０００７】
特に輪ゴムを収納する包装用容器の場合には、輪ゴムが光や外気に曝されていると劣化し易いので、確実に閉止する蓋を備える箱本体であることが望まれる。
【０００８】
また、単に開口部を大きくするだけでなく、開いた蓋が、収納物を取り出す作業を邪魔しない構成とすることが必要である。また、大きな開口部を設ける際に、ミシン目で囲んだ大きな天板部を設けると、ミシン目に沿って剥ぎ取る作業が困難となり、紙製容器の場合には、紙が破れて箱が破損するという問題が生じる。
【０００９】
本発明の目的は、上記問題点を解消するために、大きな開口部を有し収納物を容易に取り出し可能とすると共に、前記開口部を容易に形成可能とし、開閉自在な蓋を設け、前記蓋を確実に閉止可能な包装用容器を提供することである。
【課題を解決するための手段】
【００１０】
上記の目的を達成するために請求項１に係る発明は、一枚の紙材から組み立てられると共に開閉自在な蓋を備える六面パネル体の包装用容器であって、前記六面パネル体の一面を、前面パネルと内面パネルとを有する二重パネルとし、該二重パネル部に、前記内面パネルの一部に形成されるミシン目で囲まれた天板部と前記前面パネルとを接着した後で、前記天板部を前記内面パネルから切断して剥ぎ取り、前面パネルと天板部とが貼付した構成の蓋と、前記内面パネルから前記天板部が剥ぎ取られて形成される開口部とを設け、
前記前面パネルの両側端縁部の根元部に、蓋を開く際にガイドとなる開閉折込ガイドを設けると共に、前端縁には、蓋を閉める際に係止片となる差込片を設けたことを特徴としている。
【００１１】
上記の構成を有する請求項１に係る発明によれば、任意の大きさの開口部を形成することができ、ミシン目に沿った形状の天板部と開口部との切断部を蓋の嵌め込み部とすることもできる。さらに、開閉折込ガイドを介して蓋を開閉するので、安定した開閉を行うことができ、差込片を用いて蓋を確実に閉止することもできる。
【００１２】
請求項２に係る発明は、前記開閉折込ガイドが、円弧状周縁部と該円弧状周縁部から突出した開口規制部とを備えており、前記内面パネルに、前記円弧状周縁部が挿通自在な溝部となる開閉切り込み部を設けて、前記円弧状周縁部が、前記開閉切り込み部に沿って摺動するように出入りする構成としたことを特徴としている。
【００１３】
上記の構成を有する請求項２に係る発明によれば、開閉折込ガイドの円弧状周縁部を開閉切り込み部に挿通してガイドしながら開閉するので、蓋の開閉を滑らかにまた確実に行うことができる。
【００１４】
請求項３に係る発明は、前記開閉切り込み部の長さを、前記開閉折込ガイドの円弧状周縁部の半径よりもわずかに長い長さとしていることを特徴としている。
【００１５】
上記の構成を有する請求項３に係る発明によれば、開閉折込ガイドが開閉切り込み部の溝内をがたつくことなくきっちりとガイドされると共に、円弧状周縁部から突出した開口規制部が当接して挿通しない溝長さとしているので、任意の開き位置で蓋を開けて固定することができ、さらに最大開口位置を規制することができる。
【００１６】
請求項４に係る発明は、前記内面パネルに予め所定大きさの開口窓部を設けておき、該開口窓部に前記天板部を連接して設けたことを特徴としている。
【００１７】
上記の構成を有する請求項４に係る発明によれば、大きな開口部としても、剥ぎ取る部分は小さくできるので、剥ぎ取り作業が容易となる。
【００１８】
請求項５に係る発明は、前記六面パネル体からなる箱体が、上面となる蓋を備える前記前面パネルと、側面を構成する一対の側面パネルと前後一対の背面パネルと、下面となる底面パネルを備えており、前記側面パネルもしくは前記背面パネルの少なくとも一方に、前記箱体に収納される物品を確認する透視窓を設けたことを特徴としている。
【００１９】
上記の構成を有する請求項５に係る発明によれば、箱容器に収納した物品の種類や量を蓋を開けずに外部から容易に確認することができる。
【００２０】
請求項６に係る発明は、前記背面パネルの両側にそれぞれサイドフラップを設け、折り畳んだサイドフラップの上に前記側面パネルを被せると共に、前記側面パネルの先端側に設ける差込フラップを、前記底面パネルの外側に貼付して箱本体を構成することを特徴としている。
【００２１】
上記の構成を有する請求項６に係る発明によれば、側面パネルの差込フラップを底面パネルの外側に露出して貼付するので、箱の強度が向上すると共に、箱の底面部の密封性が良くなる。
【００２２】
請求項７に係る発明は、前記サイドフラップの長さを相対向するサイドフラップ同士が重なり合う程度以上の長さとして、前記サイドフラップと前記側面パネルとの間に前記開閉折込ガイドを挿入しサンドイッチ状に挟み込む構成として、前記開閉折込ガイドがその両側をガイドされた状態で摺動する構成としたことを特徴としている。
【００２３】
上記の構成を有する請求項７に係る発明によれば、サイドフラップを長くして重ね合わせるので、側面部の箱強度と密封性が向上すると共に、開閉折込ガイドの摺動をガイドして蓋の開閉をスムーズに行うことができる。
【００２４】
請求項８に係る発明は、前記内面パネルの両側に側面パネルを設けると共に、前記六面パネル体を構成する底面パネルの両側にも、それぞれ第二側面パネルを設けたことを特徴としている。
【００２５】
上記の構成を有する請求項８に係る発明によれば、側面パネルを二重とし、さらにサイドフラップを合わせれば三重の側面パネル部となり、箱強度と密封性に優れた包装用容器を得ることができる。
【００２６】
請求項９に係る発明は、前記内面パネルの両側に設ける側面パネルの一部を切除して、前記開閉折込ガイドと係合しない長さとしたことを特徴としている。
【００２７】
上記の構成を有する請求項９に係る発明によれば、箱体を組み立てる際に、開閉折込ガイドを折り込んだ後からでも、側面パネルを折り畳んで箱体を形成可能であり、箱体の組立が容易となる。
【発明の効果】
【００２８】
本発明によれば、大きな開口部を有し収納物を容易に取り出し可能とすると共に、前記開口部を容易に形成可能とし、開閉自在な蓋を設け、前記蓋の開閉をスムーズに行うと共に、前記蓋を確実に閉止可能な包装用容器を得ることができる。
【発明を実施するための最良の形態】
【００２９】
以下、本発明に係る包装用容器の実施の形態について、図１から図１２に基づいて詳細に説明する。
【００３０】
図１には、本発明に係る包装用容器の展開図を示しており、図２には組み立てられた箱本体の概観斜視図を示し、（ａ）は蓋を閉めた状態であり、（ｂ）は蓋を開けた状態を示している。また、図３は開口部の拡大説明図であり、図４は蓋の開閉状態を示すと共にそれぞれの紙材の厚みを厚くした模式図であって、（ａ）は閉めた状態を示し、（ｂ）は開いた状態を示している。
【００３１】
図１の展開図に示すように、本発明に係わる包装用容器Ｈは、一枚の紙材（紙製ブランク）から組み立てられる六面体の箱体であって、表パネルとなる前面パネル１と、第一背面パネル３Ａと、底面パネル２と、第二背面パネル３Ｂと、裏パネルとなる内面パネル４と、側面パネル７Ａ、７Ｂ（以後側面パネル７と称する）とを備えている。これらの七つのパネルから、前記前面パネル１を表側とし、前記内面パネル４を裏側として貼り合わせて二重パネル部を有する六面パネル体の箱本体を構成する。
【００３２】
また、前記背面パネル３Ａ、３Ｂ（以後合わせて背面パネル３と称する）にはそれぞれサイドフラップ６を設け、それぞれの側面パネル７には差込フラップ８を設けている。これらのフラップや前記七つのパネルを折れ線１２、１３に沿って折りたたんで図２（ａ）に示すように箱本体ＨＡを形成する。
【００３３】
この時に、内面パネル４から突出して設ける折り返しフラップ９の斜線部に示す糊代部１８に糊剤又は接着剤を塗布して、該フラップと所定の背面パネル３の内面とを接着することで強固な箱体を形成する。
【００３４】
１６は係止切り込み部であって、サイドフラップ６の係止部１４が嵌まり込むための切り込みであり、１５は、後述する開閉折込ガイド５が挿通する開閉切り込み部である。
【００３５】
前記内面パネル４にはミシン目１７に囲まれた天板部４Ａを設けている。前記前面パネル１を除く６面のパネルを折り込んで箱体を形成した後で、前記天板部４Ａの上面に設けられる糊代部１８に糊剤又は接着剤を塗布して、前記前面パネル１を折りたたんで接着する。
【００３６】
前記前面パネル１と前記内面パネル４とは貼付されているが、側面パネル７の差込フラップ８は貼付されていないので、このいずれかの側面パネルを開けて、輪ゴム等の収納物を詰め込むことができる。輪ゴム等の収納物を詰め込んだ後で、前記側面パネル７と差込フラップ８を折り込んでシールやテープなどで封止する。
【００３７】
収納物が詰め込まれた包装用容器Ｈを開封する時には、開け口１９から前面パネル１に設けられている差込片１１およびその周辺端部を摘んで、前記前面パネル１を引き上げる操作を行う。すると、裏パネルである内面パネル４はその折り返しフラップ９が背面パネル３と接着されているので持ち上がらない。しかし、前記前面パネル１に接着している前記天板部４Ａが、引き上げられる前面パネル１に引きつられ、ミシン目１７に沿って切断されて、図２（ｂ）に示す開口部２０が形成される。
【００３８】
すなわち、前面パネル１に天板部４Ａが貼付された蓋ＨＣが形成され、天板部４Ａが切断された内面パネル４に開口部２０が形成される。つまり、大きな面の前面パネル１及び内面パネル４側に大きな開口部２０を設けることができる。さらに前記蓋ＨＣは、前面パネル１に天板部４Ａが貼付された二重パネルとなっているので、蓋強度も強くなる。
【００３９】
ミシン目１７に囲まれた天板部４Ａを大きく設定しておけば、それだけ大きな開口部２０を形成することができる。しかし、単に天板部４Ａを大きくすると、剥ぎ取る際に大きな力を要し、紙製のブランクを組み立てた容器の場合には、その剥ぎ取る力により、箱本体自体が引き裂かれて破損する虞が生じる。そのために、本実施の形態においては、前記内面パネル４に予め所定大きさの開口窓部４Ｂを設けておき、該開口窓部４Ｂに前記天板部４Ａを連接して設ける構成とした。
【００４０】
そのために、前記天板部４Ａと前記開口窓部４Ｂとを合わせた合計面積が開口部２０となるので、前記開口部２０を大きく設ける際にも、剥ぎ取るミシン目長さを短くすることができ、剥ぎ取り作業が容易となる。例えば、図３に示す例では、天板部４Ａと開口窓部４Ｂとを略同じ大きさとした場合を示している。この例では、ミシン目１７Ａ、１７Ｂ、１７Ｃと開口部２０に囲まれた天板部４Ａとなっており、該天板部４Ａの糊代部１８に貼付された図示しない前面パネルを引き上げると、前記ミシン目１７Ａ、１７Ｂ、１７Ｃ部分のみが引きちぎられて、前記天板部４Ａの略二倍の大きさの開口部２０が形成される。
【００４１】
切断された天板部４Ａが貼付され二重パネル構成となった蓋ＨＣは、折れ線１２を回転軸として開閉自在であって、前記蓋ＨＣを閉める時には、天板部４Ａが再度前記内面パネル４の開口部２０に嵌まり込む構成である。
【００４２】
つまり、切断されて引きちぎられたミシン目１７に沿って再度嵌まり込む。ミシン目１７はその縁部がぎざぎざ状となっているので、このぎざぎざ状縁部の摩擦により閉じた状態を維持することが容易となる。特にミシン目１７Ｂに相当する開口部端縁２１が所定長さあれば摩擦力を大きくすることができ好適である。
【００４３】
上記したように、蓋ＨＣをきっちりと閉止するためには、ある程度のミシン目長さが必要である。しかし、ミシン目が長すぎると、天板部４Ａの剥ぎ取り作業が困難となる。そのために、本実施の形態においては、天板部４Ａの大きさは開口部２０の半分程度の大きさとしている。この割合であれば、剥ぎ取り作業の困難度を上げずに、開口部面積を大きくすることができ、さらには、蓋ＨＣを安全に封止可能となり好適である。
【００４４】
また、蓋ＨＣを構成する前面パネル１の折れ線１２側の両側端縁部の根元部に、蓋ＨＣを開閉する際にガイドとなる開閉折込ガイド５を設けている。さらに、前記前面パネル１の前端縁には、蓋ＨＣを閉める際に係止片となる差込片１１を設けている。
【００４５】
前記開閉折込ガイド５は、円弧状周縁部５Ａと該円弧状周縁部から突出した開口規制部５Ｂとを備えており、内面パネルの折れ線部に設けられた溝部である開閉切り込み部１５に沿って、前記円弧状周縁部５Ａが摺動するように出入りする構成としている。
【００４６】
そのために、前記蓋ＨＣを閉止する際には、開閉折込ガイド５が、開閉切り込み部１５を挿通してガイドされながら閉まっていき、前記ミシン目１７部が係合してぴったり閉止することができる。また、前記差込片１１を内面パネル４の内面折り返し片１０の下側に差し込むと、さらに強固に閉止することができる。
【００４７】
次に図４により蓋ＨＣの開閉動作について説明する。図４は蓋ＨＣの開閉状態を示すと共に、それぞれの紙材の厚みを厚くした模式図であって、（ａ）は閉めた状態を示し、（ｂ）は開いた状態を示している。図に示すように、前記開閉折込ガイド５が挿通する開閉切り込み部１５の長さＬ１を、前記開閉折込ガイドの円弧状周縁部５Ａの半径Ｌ２よりもわずかに長い（例えば１〜３ｍｍ程度）長さとしている。そのために、前記開閉折込ガイド５の両側を前記開閉切り込み部１５の溝部の両側部が圧迫した状態で旋回移動するので、前記開閉折込ガイド５を保持しながら移動し、蓋ＨＣを任意の開閉位置で停止し仮固定しておくことができる。
【００４８】
そのために、図４（ｂ）に示す途中まで開いた状態で停止することも可能であり、この状態で箱の中に収納された輪ゴム等を容易に取り出すことができる。つまり、開かれた蓋が収納物の取り出し作業を妨害しない。また、最大開口位置を規定するために設けられている開口規制部５Ｂが内面パネル４に当接する（図中の想像線に示す位置）までが開口範囲となる。
【００４９】
また、蓋ＨＣを閉止する際には、天板部４Ａを開口部２０に嵌め込むので、それだけでも閉止状態を維持しておくことができる構成である。さらに、差込片１１を内面パネル４の内面折り返し片１０に差し込むことで、より一層強固に閉止可能となる。
【００５０】
前記差込片１１は、閉止状態を維持するための係止部材であると共に、前述したように、開口部２０を形成する際に、指で把持して持ち上げる把持部材ともなる。
【００５１】
図５には開口部の大きさと形状を変化させた例を示している。図５（ａ）は、台形状の大きな開口部２０Ａを設けた例であり、内面パネル４に設けた台形状の天板部４Ａａが前面パネル１に貼付されている。図５（ｂ）には、開閉する前面パネル１の根元部に小さな長方形状の開口部２０Ｂを設けた例であって、内面パネル１の根元部に長方形状の天板部４Ａｂが貼付されている。また、図５（ｃ）には、開閉する先端部に小さな長方形状の開口部２０Ｃを設けた例であって、前面パネル１の先端部に長方形状の天板部４Ａｃが貼付されている。
【００５２】
上記の開口部２０Ａ、２０Ｂ、２０Ｃの大きさと形状は自在に選択可能であって、箱に収納する物品の種類や大きさにより、また、美的外観を考慮して、所望の大きさと形状を選択すればよい。またこの時に、前述した開口窓部４Ｂを予め設けておいて、剥ぎ取り作業を容易とすることも可能であることは明らかである。
【００５３】
また、図６（ａ）に示すように、細長い箱体Ｈ１として、側部の全面を開閉蓋ＨＣ１とすることもできる。また図６（ｂ）に示すように、細長い箱体Ｈ２の上面部に観音開き状の開閉蓋ＨＣ２を設けることもできる。この場合でも、前記開閉蓋ＨＣ２の両側端縁部の根元部に開閉折込ガイド５を設けることも、前記開閉蓋ＨＣ２の前端縁に差込片１１を設けることも前述した通り同様である。
【００５４】
図７には観音開き状の開閉蓋ＨＣ２を有する前記箱体Ｈ２の展開図を示しているが、前述した包装用容器Ｈと同様に、一枚の紙材（紙製ブランク）から組み立てられる六面体の箱体である。また、前面パネル１の両側端縁部の根元部に開閉折込ガイド５を設けることも、前端縁に差込片１１を設けることも前記包装用容器Ｈと同様である。ただし、本実施例においては、前面パネル１も開閉折込ガイド５も差込片１１もそれぞれ二箇所備えていて観音開き状の蓋を構成している。
【００５５】
前記箱体Ｈ２に設ける開口部も、ミシン目に囲まれた天板部４Ａを剥ぎ取ることで形成している。また、前記天板部４Ａも二箇所設けて、それぞれの前面パネル１に貼付する構成とし、それぞれの前面パネル１を引き上げる操作で開口部を形成することも同様である。前記天板部４Ａの形状と大きさを変えることで、開口部の大きさと形状を任意に選定自在であり、さらに、左右の開口部の大きさと形状を個別に選定することも可能となる。そのために、子供向け商品やその他の使用用途によって、適当な大きさと形状とすることができる。
【００５６】
また、六面パネル体のいずれかの面に、箱に収納された物品を確認するための透視窓を設けると、収納物の種類や量を蓋を開けずに外部から容易に確認することができ好適である。そのために、本実施の形態においては、上面となる蓋を備える前記前面パネルと、側面を構成する一対の側面パネルと前後一対の背面パネルと、下面となる底面パネルを備えた六面パネル体からなる箱体の、前記側面パネルもしくは前記背面パネルの少なくとも一方に、箱体に収納される物品を確認する透視窓を設ける構成とした。
【００５７】
図８には透視窓を備える箱体の例を示しており、（ａ）は縦長の開口部２０Ｄと縦長の天板部４Ａｄを備え、背面パネル３に透視窓２２を設けた例を示し、（ｂ）は小型の開閉蓋ＨＣＡと横長の小さな開口部２０Ｅと横長の天板部４Ａｅを備え、側面パネル７に透視窓２２を設けた例を示し、（ｃ）は円形の開口部２０Ｆと円形の天板部４Ａｆを備えた例を示している。この場合でも、背面パネル３もしくは側面パネル７の少なくとも一方に実線に示す円形の透視窓２２やその他の形状の透視窓２３を設ける構成とすればよい。
【００５８】
前記小型の開閉蓋ＨＣＡは小型の前面パネル１Ａに横長の小さな天板部４Ａｅが貼付した構成であるので、前述した差込片１１は蓋を開閉する際の把持部材となる。
【００５９】
前記透視窓２２、２３は所定形状の開口部に透明もしくは半透明のフィルムや樹脂板を装着した構成とすればよい。特に日光などによって劣化する物品を収納する場合は、有害な光線を効果的に遮蔽する所定の樹脂版を装着することが望ましい。また、実線に示す円形の窓ではなく、楕円形でも多角形でも、また、想像線に示すような星型の透視窓２３でもよく、特にその形状を限定するものではない。
【００６０】
図９は側面パネル７の両側に設ける差込フラップ８の貼付状態を示す側面図であって、(ａ)は貼付前の状態を示し、(ｂ)は貼付後の状態を示している。差込フラップは通常は相手パネルの内側に挿入する構成であるが、図示するように側面パネル７の前端部に設ける差込フラップ８を底面パネル２の外側に露出して貼付する構成とすることも可能である。この構成であれば、箱の強度がさらに向上すると共に、箱の底面部を完全に密封することが可能となって、水気を嫌う物品を収納するのに好適な構成といえる。
【００６１】
また、箱体の側面に位置するサイドフラップを長くして、箱体の強度と密封性をさらに向上することが可能であり、その例を図１０および図１１より説明する。
【００６２】
図１０には、背面パネル３の両側に設けるサイドフラップ６Ａを長くした包装用容器である箱体Ｈ３の展開図を示している。この箱体Ｈ３においても、前面パネルと天板パネルを貼付した構成の蓋と開口部と開閉折込ガイドを備えていることは前述した包装用容器Ｈと同じであるのでここでは詳述しない。
【００６３】
前記箱体Ｈ３の組み立て順を図１１より説明する。
【００６４】
図１１は箱体Ｈ３のサイドフラップの折り畳み順を示す説明図であって、（ａ）は折り畳む前の側面が未だ開放状態であり、（ｂ）には相対向するサイドフラップを折り畳んだ状態を示し、（ｃ）には開閉折込ガイドを畳んでさらに側面パネル７を畳む状態を示している。また（ｄ）にはサンドイッチ構成とされる開閉折込ガイド部分の断面図を示している。
【００６５】
図１１（ａ）に示すように、サイドフラップ６Ａａを最初に折り畳み（矢印（１））、次いで、開閉折込ガイド５側のサイドフラップ６Ａｂを折り畳む(矢印（２））。そうすると図１１（ｂ）のように相対向するサイドフラップ同士が重なり合った状態となる。その上に開閉折込ガイド５を折り畳んで（矢印（３））、次に図１１（ｃ）に示すように、側面パネル７を折り畳む（矢印（４））。
【００６６】
そのために、前記開閉折込ガイド５は、図１１（ｄ）に示すように、サイドフラップ６Ａｂと側面パネル７との間に挟まれたサンドイッチ構造となる。つまり、前記開閉折込ガイド５は、その両側をガイドされた状態で摺動する構成となり、蓋となる前面パネル１をスムーズに開閉することができる。
【００６７】
前記サイドフラップ６Ａｂの長さは片方のみで側面部を被う程まで長くすることもできるが、少なくとも相対向するサイドフラップ６Ａａと６Ａｂとが重なり合う程度以上の長さが望ましい。また、開閉折込ガイド５の摺動をスムーズに行うためには、前記開閉折込ガイド５の直下には、該開閉折込ガイド５が位置する側のサイドフラップ６Ａｂが存在していることが望ましい。
【００６８】
上記の構成であれば、前記開閉折込ガイド５が、サイドフラップ６Ａｂと側面パネル７とでサンドイッチ状に挟まれた状態で、摺動することになる。そのために、蓋となる前面パネル１は、その両側端縁部に設ける開閉折込ガイド５がガイドされながら摺動して開閉することになり、開閉がスムーズであるだけでなく、任意の開閉位置で停止して仮固定可能な状態にもなる。
【００６９】
また、相対向するサイドフラップ同士が重なり合っているので、側面部の箱強度が増加し密封性がさらに向上することになり、物品を収納する包装用容器としてさらに好適である。
【００７０】
さらに、図１２に示すように、底面パネル２の両側に第二側面パネル７Ｄを設けた箱体Ｈ４とすれば、内面パネル４に設ける側面パネル７Ｃと背面パネルの両側に設けるサイドフラップ６Ｃとの三重の側面パネル部となって、箱体の強度と密封性をより向上させ、収納物の漏れを確実に防止することができる。この箱体Ｈ４においても、前面パネルと天板パネルを貼付した構成の蓋と開口部と開閉折込ガイドを備えていることは前述した包装用容器Ｈと同じであるのでここでは詳述しない。
【００７１】
前記箱体４は、内面パネル４の両側に設ける側面パネル７Ｃを長さＬ１分切除して短くしており、前記長さＬ１より短い半径Ｌ２の開閉折込ガイド５を挿通自在な構成としている。つまり、前記開閉折込ガイド５を折り込んだ後で前記側面パネル７Ｃを折り込むことができ、箱体の組立が容易となる。また、長さＬ１分切除した側面パネル構成であっても、側面部全長に配設される第二側面パネル７Ｄおよび相対向するサイドフラップ同士が重なり合う程度の長さを有するサイドフラップ６Ｃを備えているので、箱体の強度と密封性はより向上することになる。
【００７２】
箱体４を組み立てる際には、図面上横方向の折れ線１２に沿って折り曲げて筒体を構成した後で、開閉折込ガイド５、サイドフラップ６Ｃ、第二側面パネル７Ｄを順に折り込んでいき、最後に側面パネル７Ｃを折り込み、前記側面パネル７Ｃに設けられている小さな差込フラップ８Ａを、前記第二側面パネル７Ｄに設けた差込孔２４に差し込むことで、箱体Ｈ４を簡単に構成することができる。
【００７３】
上記のような一連の動作で箱体Ｈ４を組み立てることができるので、前記箱体Ｈ４は、組立が非常に容易な包装用容器となる。また、収納物のはみ出しや漏れを高度に防止するので、小物を収納する包装用容器として好適となる。さらには、図示しているようにその展開図がほぼ長方形であるので、一枚の紙材を有効に利用していることが明らかであり、資源の有効利用性からも好適となる。
【００７４】
前記第二側面パネル７Ｄに差込孔２４を設けて、前記差込フラップ８Ａを差し込む構成としているが、前述した長い差込フラップ８として、側面パネル７Ｃを底面パネル２の外側に露出して貼付する構成とすることも可能である。ただし、差込孔２４と差込フラップ８Ａとで差込構成とすれば、側面パネル７Ｃの開閉が自在となるので、所望される包装用容器の機能により、どちらの構成にするか選択することができる。
【００７５】
前記箱体Ｈ４の開口部も、前述した箱体Ｈと同様に、当初から切除している開口窓部４Ｂと、箱体構成後に設ける開口窓部４Ａとで形成している。そのために、収納する物品に応じた適当な大きさの開口部を形成することができる。
【００７６】
上記したように、本発明に係わる包装用容器は、任意の大きさの開口部を設けることが容易であるので、収納する物品により適当な大きさと形状をした開口部を形成して、収納した物品の取り出しが容易となる。
【００７７】
さらに、蓋をスムーズに開閉することができ、所定の開き位置に固定することができるので、収納物の取り出しがさらに容易となる。また、一旦引き剥がしたミシン目を封止部として利用すると共に、差込片を用いて封止することができるので、簡単に蓋を再封することが容易となる。
【００７８】
そのために、本発明に係わる包装用容器は、頻繁に出し入れする物品や、光や外気に曝されていると劣化し易い輪ゴム等を収納する容器として好適に利用可能である。
【図面の簡単な説明】
【００７９】
【図１】本発明に係る包装用容器の展開図を示している。
【図２】組み立てられた箱本体の概観斜視図を示し、（ａ）は蓋を閉めた状態であり、（ｂ）は蓋を開けた状態を示している。
【図３】開口部の拡大説明図である。
【図４】蓋の開閉状態を示すと共にそれぞれの紙材の厚みを厚くした模式図であって、（ａ）は閉めた状態を示し、（ｂ）は開いた状態を示している。
【図５】開口部の大きさと形状を変更した例であって、（ａ）は大きな台形状の開口部を設けた例を示し、（ｂ）は蓋の根元側に小さな長方形状の開口部を設けた例であり、（ｃ）は開閉部の先端部に小さな長方形状の開口部を設けた例を示している。
【図６】蓋のその他の例を示し、（ａ）は細長い箱体の側面部に大きな蓋を設けた例を示し、（ｂ）は細長い箱体の上面側に観音開き状の蓋を設けた例を示している。
【図７】観音開き状の蓋を有する包装用容器の展開図を示している。
【図８】透視窓を備える箱体の例を示しており、（ａ）は縦長の開口部と縦長の天板部を備えて背面パネルに透視窓を設けた例を示し、（ｂ）は小型の開閉蓋と横長の小さな開口部と横長な天板部を備えて側面パネルに透視窓を設けた例を示し、（ｃ）は円形の開口部と円形の天板部を備えた例を示している。
【図９】側面パネルの両側に設ける差込フラップの貼付状態を示す側面図であって、(ａ)は貼付前の状態を示し、(ｂ)は貼付後の状態を示している。
【図１０】背面パネルの両側に設けるサイドフラップを長くした包装用容器の展開図である。
【図１１】サイドフラップの折り畳み順を示す説明図であって、（ａ）は折り畳む前の側面が未だ開放状態であり、（ｂ）には相対向するサイドフラップを折り畳んだ状態を示し、（ｃ）には開閉折込ガイドを畳んでさらに側面パネルを畳む状態を示している。また（ｄ）にはサンドイッチ構成とされる開閉折込ガイド部分の断面図を示している。
【図１２】底面パネルの両側に第二側面パネルを設けた包装用容器の展開図である。
【符号の説明】
【００８０】
１  前面パネル（表パネル）
４  内面パネル（裏パネル）
４Ａ  天板部
４Ｂ  開口窓部
５  開閉折込ガイド
１１  差込片
１５  開閉切り込み部
１７  ミシン目
２０  開口部
Ｈ  包装用容器
Ｈ１、Ｈ２、Ｈ３  箱体
ＨＡ  箱本体
ＨＣ  蓋
【図１】
2007039124.tif 000003
【図２】
2007039124.tif 000004
【図３】
2007039124.tif 000005
【図４】
2007039124.tif 000006
【図５】
2007039124.tif 000007
【図６】
2007039124.tif 000008
【図７】
2007039124.tif 000009
【図８】
2007039124.tif 000010
【図９】
2007039124.tif 000011
【図１０】
2007039124.tif 000012
【図１１】
2007039124.tif 000013
【図１２】
2007039124.tif 000014